(57)【要約】【課題】従来は、ネットワーク接続がなくなると、不要な表示が行われる可能性や、設定作業者の誤操作による不用意なサービス停止の可能性を持っていた。【解決手段】ネットワークサービス停止手段１１０により、ネットワークサービス停止を行う際に、ネットワークサービスに関係する不要な表示が行われることを防止したり、ネットワークサービス停止可否確認手段１１６やネットワークサービス停止可否定期確認手段で、サーバのネットワークサービス停止可否情報保存手段１０３を参照することにより、円滑かつ確実にサービス停止設定を行うことができる。【選択図】図１
2008072587.tif 000002
【特許請求の範囲】
【請求項１】
情報を提供するサーバと、機器と、前記情報の表示や前記機器の操作を行う情報リモコンからなる情報リモコンシステムにおいて、
前記情報リモコンが、前記サーバと接続するためのネットワーク設定手段と、前記機器の操作を行う機器操作手段と、前記サーバから情報を取得しデータ加工処理やエラー処理や前記機器の動作日付・時刻設定や前記機器の遠隔制御を行う情報取得・処理手段と、前記ネットワーク設定手段と前記情報取得・処理手段の動作を停止させ機器操作機能のみの動作とするネットワークサービス停止手段とからなる情報リモコンシステム。
【請求項２】
前記サーバがネットワークサービス停止可否情報保存手段を備え、前記情報リモコンがネットワークサービス停止可否確認手段を備え、
前記情報リモコンのネットワークサービス停止手段によりネットワークサービスの停止設定作業を行う際に、停止設定作業実施のために入力する認証情報を、前記ネットワークサービス停止可否確認手段が、前記サーバの前記ネットワークサービス停止可否情報保存手段に保存されるネットワークサービス停止可否情報と照合し、設定継続可否判断を行う請求項１記載の情報リモコンシステム。
【請求項３】
前記サーバがネットワークサービス停止可否情報保存手段を備え、前記情報リモコンがネットワークサービス停止可否定期確認手段を備え、定期的にネットワークサービス停止可否情報を取得し前記情報リモコン内に保存することで、
前記情報リモコンのネットワークサービス停止手段によりネット
ワークサービスの停止設定作業を実施する際に、停止設定作業実施のために入力する認証情報の照合を、前記情報リモコン内に保存された情報とで行い、設定継続可否判断を行う請求項１記載の情報リモコンシステム。
【請求項４】
情報を提供するサーバや機器と通信して、前記情報の表示や前記機器の操作を行う情報リモコンにおいて、
前記情報リモコンが、前記サーバと接続するためのネットワーク設定手段と、前記機器の操作を行うための機器操作手段と、前記サーバから情報を取得しデータ加工処理やエラー処理や前記機器の動作日付・時刻設定や前記機器の遠隔制御を行うための情報取得・処理手段と、前記ネットワーク設定手段と前記情報取得・処理手段の動作を停止させ機器操作機能のみの動作とするためのネットワークサービス停止手段とからなる情報リモコン。
【請求項５】
ネットワークサービス停止可否確認手段を備え、前記ネットワークサービス停止手段によりネットワークサービスの停止設定作業を行う際に、停止設定作業実施のために入力する認証情報を、前記ネットワークサービス停止可否確認手段が、前記サーバの前記ネットワークサービス停止可否情報保存手段に保存されるネットワークサービス停止可否情報と照合し、設定継続可否判断を行う請求項４記載の情報リモコン。
【請求項６】
ネットワークサービス停止可否定期確認手段を備え、定期的にネットワークサービス停止可否情報を取得し前記情報リモコン内に保存することで、前記情報リモコンのネットワークサービス停止手段によりネットワークサービスの停止設定作業を実施する際に、停止設定作業実施のために入力する認証情報の照合を、前記情報リモコン内に保存された情報ととで行う、設定継続可否判断を行う請求項４記載の情報リモコン。
【請求項７】
請求項１〜６のいずれか１項記載の情報リモコンシステムまたは情報リモコンの少なくとも一部をコンピュータにより実行するためのプログラム。
【発明の詳細な説明】
【技術分野】
【０００１】
本発明は、機器のリモコン機能に加えて、ニュース、天気予報、正確な時刻などの情報をサーバから取得・処理する機能を持つ情報リモコンシステム、情報リモコンおよびそのプログラムに関するものである。
【背景技術】
【０００２】
従来から使用されている情報リモコンシステムの一例（例えば、特許文献１参照）を図７を用いて説明する。
【０００３】
図７において、７０１はサーバ、７０２は情報提供手段、７０３はサーバ制御手段、７０４は情報リモコン、７０５はネットワーク設定手段、７０６は機器操作手段、７０７は情報取得・処理手段、７０８は表示・入力手段、７０９は情報リモコン制御手段、７１０は機器、７１１は機器機能提供手段、７１２は機器制御手段、７１３はインターネットである。
【０００４】
情報リモコン７０４の設置時に、インターネット７１３を通してサーバ７０１から情報を取得するため、情報リモコン制御手段７０９の管理下で、ネットワーク設定手段７０５を用いてネットワーク設定が行われる。
【０００５】
使用者が表示・入力手段７０８から情報表示指示を行うと、情報取得・処理手段７０７が、サーバ７０１のサーバ制御手段７０３を通して情報提供手段７０２から情報を取得・処理を行い、表示・入力手段７０８に情報表示を行う。
【０００６】
また、使用者が表示・入力手段７０８から機器操作指示を行うと、機器操作手段７０６が情報リモコン制御手段７０９を通して、機器制御手段７１２に指示を伝達し、機器機能提供手段７１１により使用者の意図する機器機能の提供が行われる（例えば、機器７１０が給湯機の場合は、設定された温度の湯の提供や、ふろの自動湯張りなど）。
【特許文献１】特開２００４−３５６６９６号公報
【発明の開示】
【発明が解決しようとする課題】
【０００７】
前記従来の情報リモコンシステムおよび情報リモコンは、次のような課題を有しているがそれが従来特許文献には考慮・記載されていない。
【０００８】
設置当初はネットワーク接続が行われていても、経済的な理由や使用頻度の低さなどの理由から、ネットワーク接続契約が破棄されネットワーク接続環境がなくなる場合がある。
【０００９】
また、情報を提供するサーバは維持するためのコストが必要であるため、接続環境と同様に経済的な理由や使用頻度の低さなどの理由から、サーバがなくなる場合がある。
【００１０】
このような場合、サーバからの情報取得ができないにも関わらず、情報表示の指示ができてしまうことから無意味なエラー表示を行ってしまったり、定期的にサーバからの情報取得ができない旨のエラー表示などが発生してしまうといった問題が発生する場合があり、情報リモコンにはネットワーク接続環境がなくなっても機器リモコンとしての機能を問題なく提供することが求められる。
【００１１】
また、容易にネットワークサービスを停止する機能を設けると、ネットワークに関する作業知識が浅い作業者が設置作業にあたった場合、作業中に一時的にネットワークが不通になった場合、ネットワークサービス停止設定が必要であると勘違いし、ネットワークサービス停止設定を実施した上で作業終了するような場合が発生してしまうような事態が発生してしまう場合がある。
【００１２】
こういった間違った設定がなされてしまった場合、情報リモコンがサーバへ情報を取得しに来ないことは分かっても、インターネット接続環境の不備が原因であることも考えられるため、不具合の原因の特定には設置された現場へ行き、問題の解析を行わなければならなくなる。
【００１３】
また、ネットワークサービス停止設定を実際に行う場合、ネットワーク接続環境が先になくなってしまう事態も発生する。
【００１４】
本発明は、前記従来の課題を解決するもので、ネットワークサービス停止時には、ネットワークサービス停止手段により、ネットワーク設定手段と情報取得・処理手段の動作を停止させることで、ネットワーク接続に関する不要なエラー表示を行うことなく、設定後は機器のリモコンとしての動作を問題なく提供することを目的とする。
【００１５】
また、保守設定作業者が前記情報リモコンのネットワークサービス停止手段によりネットワークサービスの停止設定作業を行う際に、停止設定作業実施のために入力する認証情報を、前記ネットワークサービス停止可否確認手段が前記サーバの前記ネットワークサービス停止可否情報保存手段に保存されるネットワークサービス停止可否情報と照合し設定継続可否判断を行うことにより、不用意にネットワークサービスが停止されないようにすることを目的とする。
【００１６】
また、ネットワークサービス停止可否定期確認手段により、予め定期的に可否情報を取得し情報リモコン内に保存しておくことで、実際にサービス設定停止時にネットワーク接続環境が先になくなっても、保守設定作業者が前記情報リモコンのネットワークサービス停止手段によりネットワークサービスの停止設定作業を実施する際に、停止設定作業実施のために入力する認証情報の照合を、前記情報リモコン内に保存された情報により実施し、設定継続可否判断を行うことができることを目的とする。
【課題を解決するための手段】
【００１７】
前記従来の課題を解決するために、本発明は、ネットワークサービスを停止する必要が生じた時に、ネットワークサービス停止手段が、ネットワーク設定手段と前記情報取得・処理手段の動作を停止することで、ネットワークサービス停止設定後もネットワーク接続に関する不要なエラー表示を行うことなく情報リモコンの動作させることができる。
【発明の効果】
【００１８】
本発明は、ネットワークサービス停止を行う際に、ネットワークサービスに関係する不要な表示が行われることを防止したり、不用意にサービス停止設定が行われることを防止することができる。
【発明を実施するための最良の形態】
【００１９】
第１の発明は、情報を提供するサーバと、機器と、前記情報の表示や前記機器の操作を行う情報リモコンからなる情報リモコンシステムにおいて、前記情報リモコンが、前記サーバと接続するためのネットワーク設定手段と、前記機器の操作を行う機器操作手段と、前記サーバから情報を取得しデータ加工処理やエラー処理や前記機器の動作日付・時刻設定や前記機器の遠隔制御を行う情報取得・処理手段と、前記ネットワーク設定手段と前記
情報取得・処理手段の動作を停止させ機器操作機能のみの動作とするネットワークサービス停止手段からなる情報リモコンシステムとする。
【００２０】
これによって、ネットワークサービスを停止する必要が生じた時に、前記ネットワークサービス停止手段が、前記ネットワーク設定手段と前記情報取得・処理手段の動作を停止することで、ネットワークサービス停止設定後もネットワーク接続に関する不要なエラー表示を行うことなく情報リモコンの動作させることが可能な情報リモコンシステムを提供することができる。
【００２１】
第２の発明は、前記サーバがネットワークサービス停止可否情報保存手段を備え、前記情報リモコンがネットワークサービス停止可否確認手段を備え、例えば保守設定作業者が前記情報リモコンのネットワークサービス停止手段によりネットワークサービスの停止設定作業を行う際に停止設定作業実施のために入力する認証情報を、前記ネットワークサービス停止可否確認手段が前記サーバの前記ネットワークサービス停止可否情報保存手段に保存されるネットワークサービス停止可否情報と照合し設定継続可否判断を行う情報リモコンシステムとする。
【００２２】
これによって、設定作業者が誤ってネットワークサービス停止設定を行うことを防止することが可能な情報リモコンシステムを提供することができる。
【００２３】
第３の発明は、前記サーバがネットワークサービス停止可否情報保存手段を備え、前記情報リモコンがネットワークサービス停止可否定期確認手段を備え定期的にネットワークサービス停止可否情報を取得し前記情報リモコン内に保存することで、保守設定作業者が前記情報リモコンのネットワークサービス停止手段によりネットワークサービスの停止設定作業を実施する際に、停止設定作業実施のために入力する認証情報の照合を、前記情報リモコン内に保存された情報により実施し、設定継続可否判断を行う情報リモコンシステムとする。
【００２４】
これによって、前記ネットワークサービス停止手段によりネットワークサービスの停止設定を行う際に、ネットワーク接続が不可能な状態になっていても、保存されたネットワークサービス可否情報を使用することにより、サーバに停止可否確認を行った上でネットワークサービス停止設定を行うことが可能な情報リモコンシステムを提供することができる。
【００２５】
第４の発明は、情報を提供するサーバや機器と通信して、前記情報の表示や前記機器の操作を行う情報リモコンにおいて、前記情報リモコンが、前記サーバと接続するためのネットワーク設定手段と、前記機器の操作を行うための機器操作手段と、前記サーバから情報を取得しデータ加工処理やエラー処理や前記機器の動作日付・時刻設定や前記機器の遠隔制御を行うための情報取得・処理手段と、前記ネットワーク設定手段と前記情報取得・処理手段の動作を停止させ機器操作機能のみの動作とするためのネットワークサービス停止手段からなる情報リモコンとする。
【００２６】
これによって、ネットワークサービスを停止する必要が生じた時に、前記ネットワークサービス停止手段が、前記ネットワーク設定手段と前記情報取得・処理手段の動作を停止することで、ネットワークサービス停止設定後もネットワーク接続に関する不要なエラー表示を行うことなく情報リモコンの動作させることが可能な情報リモコンを提供することができる。
【００２７】
第５の発明は、ネットワークサービス停止可否確認手段を備え、例えば保守設定作業者が前記ネットワークサービス停止手段によりネットワークサービスの停止設定作業を行う
際に停止設定作業実施のために入力する認証情報を、前記ネットワークサービス停止可否確認手段が前記サーバの前記ネットワークサービス停止可否情報保存手段に保存されるネットワークサービス停止可否情報と照合し設定継続可否判断を行う情報リモコンとする。
【００２８】
これによって、設定作業者が誤ってネットワークサービス停止設定を行うことを防止することが可能な情報リモコンを提供することができる。
【００２９】
第６の発明は、ネットワークサービス停止可否定期確認手段を備え定期的にネットワークサービス停止可否情報を取得し前記情報リモコン内に保存することで、保守設定作業者が前記情報リモコンのネットワークサービス停止手段によりネットワークサービスの停止設定作業を実施する際に、停止設定作業実施のために入力する認証情報の照合を、前記情報リモコン内に保存された情報により実施し、設定継続可否判断を行う情報リモコンとする。
【００３０】
これによって、前記ネットワークサービス停止手段によりネットワークサービスの停止設定を行う際に、ネットワーク接続が不可能な状態になっていても、保存されたネットワークサービス可否情報を使用することにより、サーバに停止可否確認を行った上でネットワークサービス停止設定を行うことが可能な情報リモコンを提供することができる。
【００３１】
第７の発明は、第１〜６のいずれか１項記載の情報リモコンシステム、リモコンの少なくとも一部をコンピュータにより実行するためのプログラムである。そして、プログラムであるので、電気・情報機器、コンピュータ、サーバ等のハードリソースを協働させて本発明の情報端末の少なくとも一部を容易に実現することができる。また記録媒体に記録したり通信回線を用いてプログラムを配信したりすることでプログラムの配布・更新やそのインストール作業が簡単にできる。
【００３２】
以下、本発明の実施の形態について、図面を参照しながら説明する。なお、この実施の形態によって本発明が限定されるものではない。
【００３３】
（実施の形態１）
図１は、本発明の第１の実施の形態における情報表示システムのブロック図を示すものである。
【００３４】
図１において１０１はサーバ、１０２は情報提供手段、１０３はネットワークサービス停止可否情報保存手段、１０４はサーバ制御手段、１０５は情報リモコン、１０６はネットワーク設定手段、１０７は機器操作手段、１０８は情報取得・処理手段、１０９は表示・入力手段、１１０はネットワークサービス停止手段、１１１は情報リモコン制御手段、１１２は機器、１１３は機器機能提供手段、１１４は機器制御手段、１１５はインターネット、１１６はネットワークサービス停止可否確認手段である。
【００３５】
サーバ１０１は、情報提供手段１０２、ネットワークサービス停止可否情報保存手段１０３、サーバ制御手段１０４から構成される。
【００３６】
情報リモコン１０５は、ネットワーク設定手段１０６、機器操作手段１０７、情報取得・処理手段１０８、表示・入力手段１０９、ネットワークサービス停止可否確認手段１１０、情報リモコン制御手段１１１から構成される。
【００３７】
機器１１２は、機器機能提供手段１１３、機器制御手段１１４から構成される。
【００３８】
なお、サーバ１０１にはワークステーションを、機器１１２には給湯機を、情報提供手
段１０２にはウェッブサーバソフトウェアを、サーバ制御手段１０４にはＯＳを搭載し、メモリ、記憶装置、ネットワーク接続機能を備えたマザーボードを、情報リモコン制御手段にはＯＳを搭載し、メモリ、記憶装置、機器とのシリアル通信機能、ネットワーク接続機能を備えたマザーボードを、表示・入力手段１０９には使用者への表示および操作受付が可能なタッチパネルを、機器制御手段１１４には情報リモコンとのシリアル通信機能を備えたマイクロコンピュータを、機器機能提供手段１１１には機器制御手段１１４の指示でお湯を沸かしたり蛇口にお湯を供給したりする温水供給機を用いることでこの構成を容易に実現できる。
【００３９】
なお、インターネット１１５はインターネットに限らず通信ネットワークであればよい。また、機器１１２は給湯機には限定されず、どんな電気機器でも構わない。
【００４０】
以上のように構成された情報リモコンシステムおよび情報リモコンについて、以下その動作、作用を説明する。
【００４１】
まず、本システムおよびリモコンを使用するために、設定作業者が実行する設定動作について説明を行う。情報リモコン１０５の設置時に、インターネット１１５に接続する環境を整えるため、情報リモコン制御手段１１１は、ネットワーク設定手段１０６により表示・入力手段１０９を通して表示するネットワーク設定画面を表示する。設定作業者は提供された画面を通して、ＩＰアドレス、サブネットマスク、デフォールトゲートウェイ、ＤＮＳサーバアドレスなどのネットワーク設定情報を入力する。ネットワーク設定手段１０６は、以後設定された情報を元にネットワーク接続環境を提供する。また、設定動作では、機器１１２が機器操作手段１０７から提供される操作画面に従って動作することを確認する試運転動作も行われる。
【００４２】
次に、設定作業が完了した後の本システムおよびリモコンの基本的な動作について説明する。
【００４３】
使用者は情報リモコン制御手段１１１が、表示・入力手段１０９に表示する図２に示すような操作メニュー画面から操作内容を選択する。使用者が操作メニュー画面（図２（ａ））から情報表示を選択すると、情報リモコン制御手段１１１は、ネットワーク設定手段１０６で設定された接続情報を元に、情報取得・処理手段１０８を用いてサーバ１０１の情報提供手段１０２で提供されている情報を取得・処理し、表示・入力手段１０９に表示させる。
【００４４】
また、使用者が操作メニュー画面（図２（ａ））から機器操作を選択すると、情報リモコン制御手段１１１は、機器操作手段１０７を用いて、機器１１２の操作可能な機能を表示・入力手段１０９に表示する。
【００４５】
表示された操作可能機能から使用者が選択した機器操作指示に基づき、情報リモコン制御手段１１１は、機器制御手段１１４に操作指示をシリアル通信電文により送信し、受信した機器制御手段１１４からの指示で、機器機能提供手段１１３が動作することで、使用者の意図した操作指示動作が実行され、例えば操作指示が給湯開始の場合、機器機能提供手段１１３は給湯口から予め設定されたお湯の供給を開始する。
【００４６】
また、情報取得・処理手段１０８は、定期的（例えば１日１回）にサーバ１０１の情報提供手段１０２から、現在の正確な時刻を取得し、情報リモコン制御手段１１１が管理する日付・時刻をサーバ１０１の持つ正しい日付・時刻に同期する。
【００４７】
また、情報・取得処理手段１０８は、定期的（例えば１日１回）サーバ１０１の情報提
供手段１０２に新しい情報の有無の問い合わせを行い、新着情報があれば情報リモコン制御手段１１１により表示・入力手段１０９に新着情報があることを使用者に報せる機能を持つ。
【００４８】
更に、前述の定期的なサーバ１０１からの情報取得が所定回数失敗（例えば１日１回を７回連続失敗）した場合、情報リモコン制御手段１１１により表示・入力手段１０９にネットワークに何らかの問題がある旨の警告表示を使用者に対して行い、ネットワーク接続の確認を促す。
【００４９】
次に、本発明の目的であるネットワークサービス停止時の設定動作について図２および図３を用いて説明する。
【００５０】
設定作業者によりネットワークサービス停止操作が実行され、ネットワークサービス停止動作が開始（Ｓ１０１）されると、リモコン制御手段１１１はネットワークサービス停止可否確認手段１１６により、サーバ１０１のネットワークサービス停止可否情報保存手段１０３に、ネットワークサービス停止可否の確認を行う（Ｓ１０２）。
【００５１】
ネットワークサービス停止可否情報保存手段１０３は停止可否情報確認を行い（Ｓ１０３）サーバ制御手段１０４を通してネットワークサービス停止可否確認手段１１６に停止可否応答を返す（Ｓ１０４）。
【００５２】
ここで情報リモコン制御手段１１１は、ネットワークサービス停止可否応答判断を行い（Ｓ１０５）、ネットワークサービス停止可であればネットワークサービス停止手段１１０によりネットワーク設定手段１０６の動作停止（Ｓ１０６）と、情報取得・処理手段１０８の動作停止（Ｓ１０７）を実行する。
【００５３】
これにより、情報取得・処理手段１０８のサーバ１０１への定期接続動作や接続失敗による警告表示を抑制する。
【００５４】
また、ネットワークサービス停止手段１１０は操作メニューを図２（ａ）から図２（ｂ）に変更し（Ｓ１０８）、使用者の操作によるサーバ１０１への接続を抑制する。
【００５５】
なおネットワークサービス停止可否応答が停止不可だった場合、情報リモコン制御手段１１１は、表示・入力手段１０９により、ネットワークサービス停止不可表示を行う（Ｓ１０９）。
【００５６】
以上で述べたような動作により、ネットワークサービス停止時には、ネットワークサービス停止手段１１０により、ネットワーク設定手段１０６と情報取得・処理手段１０８の動作を停止させることで、ネットワーク接続に関する不要なエラー表示を行うことなく、設定後は機器のリモコンとしての動作を問題なく提供することが可能な情報リモコンシステム、情報リモコンを提供することができる。
【００５７】
また、ネットワークサービス停止設定時に、ネットワークサービス停止可否確認手段１１６によりサーバのネットワークサービス停止可否情報保存手段１０３に問い合わせを行うことで、不用意にネットワークサービスが停止されないようにすることが可能な情報リモコンシステム、情報リモコンを提供することができる。
【００５８】
（実施の形態２）
図４は、本発明の第２の実施の形態における情報表示システムのブロック図を示すものである。図４において４０１はネットワークサービス停止可否定期確認手段である。
【００５９】
以上のように構成された情報リモコンシステムおよび情報リモコンについて、以下その動作、作用を説明する。なお、図面において、（実施の形態１）と同一動作を示す部分は同一番号を付与している。
【００６０】
設定動作および基本的な動作は（実施の形態１）と同様の動作となる。
【００６１】
ネットワークサービス停止時の設定動作について図２、図５、図６を用いて説明する。
【００６２】
まずネットワークサービス停止のための準備動作について図５を用いて説明する。
【００６３】
情報リモコン制御手段１１１は、利用者や設定作業者の操作受付待ちを常時実行し（Ｓ５０１）、何か操作があれば操作内容に応じて前述の基本動作を行う。
【００６４】
ネットワークサービス停止可否定期確認手段４０１は、定期処理時刻（例えば毎日１２：００）が到来すると（Ｓ５０２）、情報リモコン制御手段１１１を通してサーバ１０１のネットワークサービス停止可否情報保存手段１０３に、ネットワークサービス停止可否の確認を行う（Ｓ５０３）。
【００６５】
ネットワークサービス停止可否情報保存手段１０３は停止可否情報確認を行い（Ｓ５０４）サーバ制御手段１０４を通してネットワークサービス停止可否定期確認手段４０１に停止可否応答を返す（Ｓ５０５）。
【００６６】
ネットワークサービス停止可否定期確認手段４０１は受け取った停止可否情報の保存を行う（Ｓ５０６）。
【００６７】
次にネットワークサービス停止設定動作について図６を用いて説明する。
【００６８】
設定作業者によりネットワークサービス停止の設定操作が実行され、ネットワークサービス停止動作が開始（Ｓ１０１）されると、リモコン制御手段１１１はネットワークサービス停止可否定期確認手段４０１が保存しているサーバのネットワークサービス可否情報を参照する（Ｓ６０１）。
【００６９】
ここで情報リモコン制御手段１１１は、ネットワークサービス停止可否応答判断を行い（Ｓ１０５）、ネットワークサービス停止可であればネットワークサービス停止手段１１０によりネットワーク設定手段１０６の動作停止（Ｓ１０６）と、情報取得・処理手段１０８の動作停止（Ｓ１０７）を実行する。
【００７０】
これにより、情報取得・処理手段１０８のサーバ１０１への定期接続動作や接続失敗による警告表示を抑制する。
【００７１】
また、ネットワークサービス停止手段１１０は操作メニューを図２（ａ）から図２（ｂ）に変更し（Ｓ１０８）、使用者の操作によるサーバ１０１への接続を抑制する。
【００７２】
なおネットワークサービス停止可否応答が停止不可だった場合、情報リモコン制御手段１１１は、表示・入力手段１０９により、ネットワークサービス停止不可表示を行う（Ｓ１０９）。
【００７３】
このようにネットワークサービス停止動作を行うことで、サービス停止動作時に情報リモコン１０５とサーバ１０１の接続できない場合でも、予めサーバから取得していたネッ
トワークサービス可否情報を参照することにより、サーバ情報を確認した上でサービス停止動作を実行することができる。
【００７４】
以上で述べたような動作により、ネットワークサービス停止可否定期確認手段４０１が、定期的にネットワークサービス停止可否情報を取得し保存することで、ネットワークサービス停止手段１１０によりネットワークサービスの停止設定を行う際に、ネットワーク接続が不可能な状態になっていてもサーバの可否確認を行った上でネットワークサービス停止設定を行うことが可能な情報リモコンシステム、情報リモコンを提供することができる。
【００７５】
また、本実施の形態１〜２で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したり、インターネットなどの通信回線を用いて配信することでプログラムの配布・更新やそのインストール作業が簡単にできる。
【産業上の利用可能性】
【００７６】
以上のように、本発明にかかる情報リモコンシステム、情報リモコンおよびそのプログラムは、ネットワークから情報を取得する以外に、リモコン機能のような何か別の機能を持っている機器がある場合、ネットワークサービスのみの停止を行う際に、ネットワークサービスに関係する不要な表示が行われることを防止したり、不用意にサービス停止設定が行われることを防止することができる。
【００７７】
この動作は、情報を取得する以外の機能が電話機能や家事・調理機能であっっても、情報リモコンシステムに限らず適用することができる。
【図面の簡単な説明】
【００７８】
【図１】本発明の実施の形態１における情報表示リモコンシステム、情報リモコンの構成を示すブロック図
【図２】（ａ）本発明の実施の形態１における通常の操作画面を説明する図（ｂ）本発明の実施の形態１におけるネットワークサービス停止後の操作画面を説明する図
【図３】本発明の実施の形態１におけるネットワークサービス停止動作を説明する図
【図４】本発明の実施の形態２における情報表示リモコンシステム、情報リモコンの構成を示すブロック図
【図５】本発明の実施の形態２におけるネットワークサービス停止動作準備動作を説明する図
【図６】本発明の実施の形態２におけるネットワークサービス停止動作を説明する図
【図７】従来例である情報リモコンシステムの構成を示すブロック図
【符号の説明】
【００７９】
１０１  サーバ
１０２  情報提供手段
１０３  ネットワークサービス停止可否情報保存手段
１０４  サーバ制御手段
１０５  情報リモコン
１０６  ネットワーク設定手段
１０７  機器操作手段
１０８  情報取得・処理手段
１０９  表示・入力手段
１１０  ネットワークサービス停止手段
１１１  情報リモコン制御手段
１１２  機器
１１３  機器機能提供手段
１１４  機器制御手段
１１５  インターネット
１１６  ネットワークサービス停止可否確認手段
４０１  ネットワークサービス停止可否定期確認手段
【図１】
2008072587.tif 000003
【図２】
2008072587.tif 000004
【図３】
2008072587.tif 000005
【図４】
2008072587.tif 000006
【図５】
2008072587.tif 000007
【図６】
2008072587.tif 000008
【図７】
2008072587.tif 000009